(57)【要約】【課題】特定のサービスを実行するユーザ装置又は特定の用途向けのユーザ装置が、ランダムアクセスチャネルに割り当てられた専用の無線リソースを用いて発信処理を行うことができる技術を提供する。【解決手段】基地局と通信するユーザ装置であって、前記基地局から、専用ランダムアクセスチャネルリソースの用途を示す用途識別子を取得する取得手段と、当該ユーザ装置が発信処理を行う場合に、前記用途識別子に基づいて、前記専用ランダムアクセスチャネルリソースを用いて発信処理を行うのか否かを判断する判断手段と、前記判断手段が前記専用ランダムアクセスチャネルリソースを用いて発信処理を行うと判断した場合に、前記専用ランダムアクセスチャネルリソースを用いてランダムアクセス手順を実行する実行手段と、を有するユーザ装置を提供する。【選択図】図３
2016201672.tif 000002
【特許請求の範囲】
【請求項１】
基地局と通信するユーザ装置であって、
前記基地局から、専用ランダムアクセスチャネルリソースの用途を示す用途識別子を取得する取得手段と、
当該ユーザ装置が発信処理を行う場合に、前記用途識別子に基づいて、前記専用ランダムアクセスチャネルリソースを用いて発信処理を行うのか否かを判断する判断手段と、
前記判断手段が前記専用ランダムアクセスチャネルリソースを用いて発信処理を行うと判断した場合に、前記専用ランダムアクセスチャネルリソースを用いてランダムアクセス手順を実行する実行手段と、
を有するユーザ装置。
【請求項２】
前記判断手段は、当該ユーザ装置の種別と前記用途識別子とを比較することで、前記専用ランダムアクセスチャネルリソースを用いて発信処理を行うのか否かを判断する、請求項１に記載のユーザ装置。
【請求項３】
アプリケーションを特定する識別子と、アプリケーションが実行するサービスを示すサービス識別子とを対応づける情報を記憶する記憶手段を有し、
前記判断手段は、前記情報から、発信処理を行うアプリケーションに対応するサービス識別子を検索し、検索したサービス識別子と、前記基地局から取得した前記用途識別子とを比較することで、前記専用ランダムアクセスチャネルリソースを用いて発信処理を行うのか否かを判断する、請求項１に記載のユーザ装置。
【請求項４】
前記取得手段は、前記基地局から送信される報知情報に含まれる、システムインフォメーションブロック又はＭＴＣ向けシステムインフォメーションブロックから、前記用途識別子を取得する、請求項１乃至３のいずれか一項に記載のユーザ装置。
【発明の詳細な説明】
【技術分野】
【０００１】
本発明は、ユーザ装置に関する。
【背景技術】
【０００２】
ＬＴＥ（Long Term Evolution）を用いた移動通信システムでは、様々なサービスが実現されている。これらのサービスの中には、緊急呼や、災害発生時に開設される伝言板サービス向けの通信など、通常のサービスよりも優先的に呼接続させるのが望ましいサービスが存在する。
【０００３】
また、様々なサービスの他の例として、例えば、ＭＴＣ（Machine Type Communication）端末を用いたサービス等が検討されている。ＭＴＣ端末のような特定の用途向けのユーザ装置は、スマートフォンといった一般ユーザ向けのユーザ装置と比較して、膨大な数のユーザ装置がネットワークに接続されることが想定される。
【０００４】
ここで、ユーザ装置が発信処理を行う場合及びハンドオーバを行う場合など、ユーザ装置と基地局との間で接続を確立させる必要がある場合、ランダムアクセス（ＲＡ：Random Access）手順と呼ばれる処理手順により発信処理が行われる。ランダムアクセス手順では、ユーザ装置は、最初にプリアンブル（Preamble）と呼ばれる信号を基地局に送信する。この信号を送信するためのチャネルは、ランダムアクセスチャネル（ＲＡＣＨ：Random Access Channel）と呼ばれる。
【０００５】
また、ランダムアクセスチャネルに割り当てられる無線リソースに関する情報は、報知情報に含まれるＳＩＢ（System Information Block）に格納され、ユーザ装置に通知される。
【先行技術文献】
【非特許文献】
【０００６】
【非特許文献１】３ＧＰＰ  ＴＳ３６．３３１  Ｖ１２．５．０（２０１５−０３）
【発明の概要】
【発明が解決しようとする課題】
【０００７】
特定のサービスを実行するユーザ装置又は特定の用途向けのユーザ装置が発信処理を行う場合、ランダムアクセスチャネルに割り当てられた専用の無線リソースを用いて発信処理を行うことが望ましい場合が想定される。
【０００８】
例えば、上述のように優先的に呼接続させるのが望ましいサービスが実行される場合、ユーザ装置は、ランダムアクセスチャネルに割り当てられた専用の無線リソースを用いて発信処理を行うことで、発信処理を成功させる確率を高めることができると考えられる。
【０００９】
また、特定の用途向けのユーザ装置は、膨大な量のユーザ装置が一斉にネットワークに接続することが想定される。従って、特定の用途向けのユーザ装置が発信処理を行う場合、ランダムアクセスチャネルに割り当てられた専用の無線リソースを用いて発信処理を行うようにすることで、一般ユーザが行う発信処理の成功確率を高めることができると考えられる。
【００１０】
しかしながら、従来のＬＴＥでは、特定のサービスを実行するユーザ装置又は特定の用途向けのユーザ装置が、ランダムアクセスチャネルに割り当てられた専用の無線リソースを用いて発信処理を行うことができる技術が存在しなかった。
【００１１】
開示の技術は上記に鑑みてなされたものであって、特定のサービスを実行するユーザ装置又は特定の用途向けのユーザ装置が、ランダムアクセスチャネルに割り当てられた専用の無線リソースを用いて発信処理を行うことができる技術を提供することを目的とする。
【課題を解決するための手段】
【００１２】
開示の技術のユーザ装置は、基地局と通信するユーザ装置であって、前記基地局から、専用ランダムアクセスチャネルリソースの用途を示す用途識別子を取得する取得手段と、当該ユーザ装置が発信処理を行う場合に、前記用途識別子に基づいて、前記専用ランダムアクセスチャネルリソースを用いて発信処理を行うのか否かを判断する判断手段と、前記判断手段が前記専用ランダムアクセスチャネルリソースを用いて発信処理を行うと判断した場合に、前記専用ランダムアクセスチャネルリソースを用いてランダムアクセス手順を実行する実行手段と、を有する。
【発明の効果】
【００１３】
開示の技術によれば、特定のサービスを実行するユーザ装置又は特定の用途向けのユーザ装置が、ランダムアクセスチャネルに割り当てられた専用の無線リソースを用いて発信処理を行うことができる技術が提供される。
【図面の簡単な説明】
【００１４】
【図１】第一の実施の形態に係る移動通信システムの構成例を示す図である。
【図２】第一の実施の形態に係る基地局の機能構成の一例を示す図である。
【図３】第一の実施の形態に係る基地局の機能構成の一例を示す図である。
【図４】端末種別情報の一例である。
【図５】第一の実施の形態に係る処理手順の一例を示すシーケンス図である。
【図６】従来のＳＩＢに格納された構成情報の一例を示す図である。
【図７】ＭＴＣ端末向けのＳＩＢに格納された構成情報の一例を示す図である。
【図８】第一の実施の形態に係る判定処理の一例を示すフローチャートである。
【図９】第二の実施の形態に係る基地局の機能構成の一例を示す図である。
【図１０】特定サービス情報の一例である。
【図１１】第二の実施の形態に係る判定処理の一例を示すフローチャートである。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２又は１３以降に対応する通信方式も含む広い意味で使用する。
【００１６】
また、以下で説明する第一の実施の形態と第二の実施の形態とを組み合わせるようにしてもよい。
【００１７】
[第一の実施の形態]
＜概要＞
図１は、第一の実施の形態に係る移動通信システムの構成例を示す図である。図１に示すように、本実施の形態における移動通信システムは、基地局１とユーザ装置２とを有する。図１には、１つのユーザ装置２が図示されているが、図示の便宜上であり、複数のユーザ装置２が含まれていてもよい。また、図１には、１つのセル３が図示されているが、図示の便宜上であり、基地局１は、複数のセル３を形成するようにしてもよい。
【００１８】
基地局１は、セル３の報知情報（ＳＩＢ）に、ランダムアクセスチャネルの無線リソースの構成を示す構成情報を格納してユーザ装置２に送信する。ランダムアクセスチャネルの無線リソースの構成を示す構成情報は、例えば、論理チャネルに関する構成情報であるＲＡＣＨ−Ｃｏｎｆｉｇ、物理チャネルに関する構成情報であるＰＲＡＣＨ−Ｃｏｎｆｉｇである。
【００１９】
基地局１は、無線を通じてユーザ装置２との間で通信を行う。基地局１は、プロセッサなどのＣＰＵ、ＲＯＭ、ＲＡＭ又はフラッシュメモリなどのメモリ装置、ユーザ装置２等と通信するためのアンテナ、隣接する基地局等と通信するための通信インタフェース装置などのハードウェアリソースにより構成される。基地局１の各機能及び処理は、メモリ装置に格納されているデータやプログラムをプロセッサが処理又は実行することによって実現されてもよい。しかしながら、基地局１は、上述したハードウェア構成に限定されず、他の何れか適切なハードウェア構成を有してもよい。
【００２０】
ユーザ装置２は、発信処理を行う場合、基地局１から通知される報知情報（ＳＩＢ）に格納されている構成情報に基づいて、ランダムアクセスチャネルに割り当てられている無線リソースを認識すると共に、当該無線リソースを用いてプリアンブルと呼ばれる信号を基地局１に送信する。
【００２１】
ユーザ装置２は、無線を通じて基地局１及び他のユーザ装置２等と通信を行う機能を有する。ユーザ装置２は、例えば、携帯電話、スマートフォン、タブレット、モバイルルータ、ウェアラブル端末などである。ユーザ装置２は、通信機能を有する機器であれば、どのようなユーザ装置であってもよい。ユーザ装置２は、プロセッサなどのＣＰＵ、ＲＯＭ、ＲＡＭ又はフラッシュメモリなどのメモリ装置、基地局１と通信するためのアンテナ、ＲＦ（Radio Frequency）装置などのハードウェアリソースにより構成される。ユーザ装置２の各機能及び処理は、メモリ装置に格納されているデータやプログラムをプロセッサが処理又は実行することによって実現されてもよい。しかしながら、ユーザ装置２は、上述したハードウェア構成に限定されず、他の何れか適切なハードウェア構成を有してもよい。
【００２２】
本実施の形態において、基地局１は、特定のサービスを実行するユーザ装置又は特定の用途向けのユーザ装置のために、ランダムアクセスチャネルに専用の無線リソースを割り当てるようにする。また、基地局１は、ＳＩＢに、ランダムアクセスチャネルに割り当てられた通常の無線リソースの構成を示す構成情報と、ランダムアクセスチャネルに割り当てられた専用の無線リソースの構成を示す構成情報とを格納してユーザ装置２に送信する。
【００２３】
ユーザ装置２は、発信処理を行う場合に、自身が特定の用途向けのユーザ装置なのかを判断し、必要に応じてランダムアクセスチャネルに割り当てられた専用の無線リソースを用いて発信処理を行う。
【００２４】
なお、以下の説明において、ランダムアクセスチャネルに割り当てられた専用の無線リソースを、専用のＲＡＣＨリソースと言う。また、ランダムアクセスチャネルに割り当てられた通常の無線リソースを、通常のＲＡＣＨリソースと言う。なお、ランダムアクセスチャネルに割り当てられた通常の無線リソースとは、従来のＬＴＥで規定されている無線リソースのことをいう。
【００２５】
＜機能構成＞
以下、本発明の実施の形態の動作を実行する基地局１とユーザ装置２との機能構成例を説明する。
【００２６】
（基地局）
図２は、第一の実施の形態に係る基地局の機能構成の一例を示す図である。図２に示すように、基地局１は、信号送信部１１と、信号受信部１２と、報知部１３とを有する。なお、図２は、基地局１において本発明の実施の形態に特に関連する機能部のみを示すものであり、少なくともＬＴＥに準拠した動作を行うための図示しない機能も有するものである。また、図２に示す機能構成は一例に過ぎない。本実施の形態に係る動作を実行できるのであれば、機能区分や機能部の名称はどのようなものでもよい。
【００２７】
信号送信部１１は、基地局１から送信されるべき上位のレイヤの信号から、物理レイヤの各種信号を生成し、無線送信する機能を含む。信号受信部１２は、ユーザ装置２から各種の信号を無線受信し、受信した物理レイヤの信号からより上位のレイヤの信号を取得する機能を含む。
【００２８】
報知部１３は、専用のＲＡＣＨリソースに関する構成情報及び通常のＲＡＣＨリソースに関する構成情報をＳＩＢに格納してユーザ装置２に送信する。また、報知部１３は、専用のＲＡＣＨリソースに関する構成情報及び通常のＲＡＣＨリソースに関する構成情報を、ＭＴＣ端末向けのＳＩＢに格納してユーザ装置２に送信する。なお、専用のＲＡＣＨリソースに関する構成情報には、専用のＲＡＣＨリソースの用途（利用用途）を示す識別子（以下、「用途識別子」という）が含まれている。
【００２９】
ここで、ＭＴＣ端末向けのＳＩＢとは、ＭＴＣ端末向けに特化されたシステム情報のことをいう。ＭＴＣ端末は必要最小限の通信機能のみを有することから、１ＴＴＩ（Transmission Time Interval）で受信可能なビット数に制限がある。従って、ＬＴＥでは、ＭＴＣ端末向けに専用のＳＩＢを設けることが提案されている。
【００３０】
（ユーザ装置）
図３は、第一の実施の形態に係る基地局の機能構成の一例を示す図である。図３に示すように、ユーザ装置２は、信号送信部２１と、信号受信部２２と、報知情報読取部２３と、判断部２４と、ＲＡ実行部２５と、記憶部２６とを有する。なお、図３は、ユーザ装置２において本発明の実施の形態に特に関連する機能部のみを示すものであり、少なくともＬＴＥに準拠した動作を行うための図示しない機能も有するものである。また、図３に示す機能構成は一例に過ぎない。本実施の形態に係る動作を実行できるのであれば、機能区分や機能部の名称はどのようなものでもよい。
【００３１】
信号送信部２１は、ユーザ装置２から送信されるべき上位のレイヤの信号から、物理レイヤの各種信号を生成し、無線送信する機能を含む。
【００３２】
信号受信部２２は、他のユーザ装置２又は基地局１から各種の信号を無線受信し、受信した物理レイヤの信号からより上位のレイヤの信号を取得する機能を含む。
【００３３】
報知情報読取部２３は、基地局１から送信されるＳＩＢ又はＭＴＣ向けのＳＩＢから、専用のＲＡＣＨリソースに関する構成情報及び通常のＲＡＣＨリソースに関する構成情報を読み取る。また、報知情報読取部２３は、専用のＲＡＣＨリソースに関する構成情報に含まれる用途識別子を読み取る。
【００３４】
判断部２４は、記憶部２６に記憶されている端末種別情報からユーザ装置２自身の端末種別を把握し、把握した端末種別と報知情報読取部２３で読み取られた用途識別子とを比較することで、専用のＲＡＣＨリソースを用いて発信処理を行うのか、通常のＲＡＣＨリソースを用いて発信処理を行うのかを判断する。
【００３５】
ＲＡ実行部２５は、判断部２４で判断されたＲＡＣＨリソースを用いて、発信処理（ランダムアクセス処理）を行う。
【００３６】
記憶部２６は、ユーザ装置２自身の端末種別を示す端末種別情報を記憶する。なお、端末種別情報は、予めユーザ装置２の記憶部２６に格納されていてもよいし、例えばアタッチ時に行われる認証処理等により、ユーザ装置２自身の端末種別がネットワークから通知されるようにしてもよい。
【００３７】
図４は、端末種別情報の一例である。図４（ａ）は、例えばユーザ装置２の端末種別が「ＭＴＣ」である場合に格納される端末種別情報の一例を示している。図４（ｂ）は、例えばユーザ装置２の端末種別が「Smartphone」である場合に格納される端末種別情報の一例を示している。図４はあくまで一例であり、他の端末種別が格納されるようにしてもよい。
【００３８】
＜処理手順＞
図５は、第一の実施の形態に係る処理手順の一例を示すシーケンス図である。図５を用いて、第一の実施の形態に係る移動通信システムが行う処理手順を説明する。
【００３９】
ステップＳ１０１で、基地局１の報知部１３は、用途識別子を含む専用のＲＡＣＨリソースに関する構成情報及び通常のＲＡＣＨリソースに関する構成情報を、報知情報のＳＩＢ又はＭＴＣ端末向けのＳＩＢに格納してユーザ装置２に送信する。ユーザ装置２の報知情報読取部２３は、基地局１から送信されるＳＩＢ又はＭＴＣ向けのＳＩＢから、用途識別子を含む専用のＲＡＣＨリソースに関する構成情報及び通常のＲＡＣＨリソースに関する構成情報を読み取る。
【００４０】
図６は、従来のＳＩＢに格納された構成情報の一例を示す図である。図７は、ＭＴＣ端末向けのＳＩＢに格納された構成情報の一例を示す図である。
【００４１】
図６及び図７において、下線部で示す部分は、用途識別子を含む専用のＲＡＣＨリソースに関する構成情報である。下線部のうち、「ｒａｃｈＰｕｒｐｏｓｅ」で示される部分に、用途識別子が格納されている。図６の例では、用途識別子の一例として、「ＭＴＣ」、「Ｅｍｅｒｇｅｎｃｙ」、「ＨｉｇｈＰｒｉｏｒｉｔｙ」、「ＤｉｓａｓｔｅｒＭｅｓｓａｇｅＢｏａｒｄ」、「Ｓｅｒｖｉｃｅ１」、「Ｓｅｒｖｉｃｅ２」等が示されている。図７の例では、用途識別子の一例として、「ＭＴＣ」、「Ｓｅｒｖｉｃｅ１」、「Ｓｅｒｖｉｃｅ２」等が示されている。なお、図６、図７に示す用途識別子のうち、一部の用途識別子のみが格納されるようにしてもよい。図５に戻り説明を続ける。
【００４２】
ステップＳ１０２で、ユーザ装置２の判断部２４は、記憶部２６に記憶されている端末種別情報からユーザ装置２自身の端末種別を把握し、把握した端末種別と、ステップＳ１０１の処理手順で読み取られた用途識別子とを比較することで、専用のＲＡＣＨリソースを用いて発信処理を行うのか、通常のＲＡＣＨリソースを用いて発信処理を行うのかを判断する。
【００４３】
ステップＳ１０３で、ユーザ装置２のＲＡ実行部２５は、ステップＳ１０２の処理手順で判断されたＲＡＣＨリソース（通常のＲＡＣＨリソース又は専用のＲＡＣＨリソース）を用いて、発信処理（ランダムアクセス処理）を行う。
【００４４】
図８は、第一の実施の形態に係る判定処理の一例を示すフローチャートである。図８を用いて、図７のステップＳ１０２の処理手順で判断部２４が行う判定処理について具体的に説明する。
【００４５】
ステップＳ２０１で、判断部２４は、記憶部２６に記憶されている端末種別情報からユーザ装置２自身の端末種別を把握する。
【００４６】
ステップＳ２０２で、判断部２４は、ユーザ装置２自身の端末種別と、基地局１から送信された専用のＲＡＣＨリソースの構成情報に含まれる用途識別子とを比較する。専用のＲＡＣＨリソースの構成情報に含まれる用途識別子とユーザ装置２自身の端末種別とが一致する場合、ステップＳ２０３の処理手順に進む。専用のＲＡＣＨリソースの構成情報に含まれる用途識別子とユーザ装置２自身の端末種別とが一致しない場合、ステップＳ２０４の処理手順に進む。なお、基地局１から送信されたＳＩＢに専用のＲＡＣＨリソースの構成情報が存在しない場合も、ステップＳ２０４の処理手順に進む。
【００４７】
ステップＳ２０３で、判断部２４は、専用のＲＡＣＨリソースを用いて発信処理を開始するように、ＲＡ実行部２５に指示する。
【００４８】
ステップＳ２０４で、判断部２４は、通常のＲＡＣＨリソースを用いて発信処理を開始するように、ＲＡ実行部２５に指示する。
【００４９】
以下、判定処理の具体例を説明する。例えば、端末種別情に図４（ａ）に示す端末種別が格納され、図５のステップＳ１０１の処理手順で読み取られた用途識別子に「ＭＴＣ」が格納されていると仮定する。この場合、判断部２４は、ユーザ装置２自身の端末種別（「ＭＴＣ」）と、用途識別子（「ＭＴＣ」）が一致することから、専用のＲＡＣＨリソースを用いて発信処理を行うと判断する。一方、例えば、端末種別情に図４（ｂ）に示す端末種別が格納され、図５のステップＳ１０１の処理手順で読み取られた用途識別子に「ＭＴＣ」が格納されていると仮定する。この場合、判断部２４は、ユーザ装置２自身の端末種別（「Smartphone」）と、用途識別子（「ＭＴＣ」）が一致しないことから、通常のＲＡＣＨリソースを用いて発信処理を行うと判断する。
【００５０】
[第二の実施の形態]
次に、第二の実施の形態について図面に基づいて説明する。なお、第一の実施の形態と同一構成部分についての説明は省略する。また、特に言及しない点については、第一の実施の形態と同様でよい。
【００５１】
＜概要＞
第二の実施の形態に係る移動通信システムにおいて、ユーザ装置２は、特定のサービスを実行する際に、専用のＲＡＣＨリソースを用いて発信処理を行うようにする。特定のサービスの一例として、緊急呼や、災害発生時に開設される伝言板サービス向けの通信など、通常のサービスよりも優先的に呼接続させるのが望ましいサービスを想定しているが、第二の実施の形態は、このようなサービスに限られず、様々なサービスに適用することができる。
【００５２】
＜機能構成＞
図９は、第二の実施の形態に係る基地局の機能構成の一例を示す図である。図９に示すように、ユーザ装置２は、信号送信部３１と、信号受信部３２と、報知情報読取部３３と、判断部３４と、ＲＡ実行部３５と、記憶部３６とを有する。なお、図９は、ユーザ装置２において本発明の実施の形態に特に関連する機能部のみを示すものであり、少なくともＬＴＥに準拠した動作を行うための図示しない機能も有するものである。また、図９に示す機能構成は一例に過ぎない。本実施の形態に係る動作を実行できるのであれば、機能区分や機能部の名称はどのようなものでもよい。
【００５３】
信号送信部３１、信号受信部３２、報知情報読取部３３、及びＲＡ実行部３５は、それぞれ図３の信号送信部２１、信号受信部２２、報知情報読取部２３、及びＲＡ実行部２５と同一であるため説明は省略する。
【００５４】
判断部３４は、記憶部３６に記憶されている特定サービス情報から、ユーザ装置２自身が実行しようとしているサービスに対応するサービス識別子を把握し、把握したサービス識別子と報知情報読取部３３で読み取られた用途識別子とを比較することで、専用のＲＡＣＨリソースを用いて発信処理を行うのか、通常のＲＡＣＨリソースを用いて発信処理を行うのかを判断する。
【００５５】
記憶部３６は、特定のサービスを実行するアプリケーションと、アプリケーションが実行するサービスのサービス識別子とが対応づけられている特定サービス情報を記憶する。
【００５６】
図１０は、特定サービス情報の一例である。アプリケーション識別子は、例えばユーザ装置２にインストールされているアプリケーションを一意に識別するための識別子である。アプリケーション識別子は、例えば、アプリケーション名であってもよいし、ＯＳによりアプリケーションごとに一意に割り振られる識別子であってもよい。
【００５７】
サービス識別子は、アプリケーション識別子ごとに対応づけられており、各アプリケーションが実行するサービスを一意に特定する識別子である。図１０の例では、例えば、アプリケーション識別子が「Ａ」であるアプリケーションは、「Ｅｍｅｒｇｅｎｃｙ」のサービスを実行することが示されている。同様に、例えば、アプリケーション識別子が「Ｃ」であるアプリケーションは、「ＤｉｓａｓｔｅｒＭｅｓｓａｇｅＢｏａｒｄ」のサービスを実行することが示されている。
【００５８】
＜処理手順＞
図１１は、第二の実施の形態に係る判定処理の一例を示すフローチャートである。図１１を用いて、図５のステップＳ１０２の処理手順で判断部３４が行う判定処理について具体的に説明する。
【００５９】
ステップＳ３０１で、判断部３４は、記憶部３６に記憶されている特定サービス情報からユーザ装置２自身が実行しようとしているサービスのサービス識別子を特定する。判断部３４は、例えば、発信処理を要求しているアプリケーションのアプリケーション識別子をＯＳ等から取得し、取得したアプリケーション識別子をキーに特定サービス情報を検索することで、サービス識別子を特定するようにしてもよい。
【００６０】
ステップＳ３０２で、判断部３４は、ステップＳ３０１の処理手順で特定したサービス識別子と、基地局１から送信された専用のＲＡＣＨリソースの構成情報に含まれる用途識別子とを比較する。専用のＲＡＣＨリソースの構成情報に含まれる用途識別子とステップＳ３０１の処理手順で特定したサービス識別子とが一致する場合、ステップＳ３０３の処理手順に進む。専用のＲＡＣＨリソースの構成情報に含まれる用途識別子とステップＳ３０１の処理手順で特定したサービス識別子とが一致しない場合、ステップＳ３０４の処理手順に進む。なお、基地局１から送信されたＳＩＢに専用のＲＡＣＨリソースの構成情報が存在しない場合も、ステップＳ３０４の処理手順に進む。
【００６１】
ステップＳ３０３で、判断部３４は、専用のＲＡＣＨリソースを用いて発信処理を開始するように、ＲＡ実行部３５に指示する。
【００６２】
ステップＳ３０４で、判断部３４は、通常のＲＡＣＨリソースを用いて発信処理を開始するように、ＲＡ実行部３５に指示する。
【００６３】
以下、判定処理の具体例を説明する。例えば、記憶部３６に、図１０に示す特定サービス情報が格納され、図５のステップＳ１０１の処理手順で読み取られた用途識別子に「ＤｉｓａｓｔｅｒＭｅｓｓａｇｅＢｏａｒｄ」が格納されていると仮定する。また、ユーザ装置２にインストールされているアプリケーションのうち、アプリケーション識別子が「Ｃ」であるアプリケーションが発信処理を要求していると仮定する。
【００６４】
この場合、判断部３４は、サービス識別子（「ＤｉｓａｓｔｅｒＭｅｓｓａｇｅＢｏａｒｄ」）と、用途識別子（「ＤｉｓａｓｔｅｒＭｅｓｓａｇｅＢｏａｒｄ」）が一致することから、専用のＲＡＣＨリソースを用いて発信処理を行うと判断する。
【００６５】
一方、記憶部３６に、図１０に示す特定サービス情報が格納され、図５のステップＳ１０１の処理手順で読み取られた用途識別子に「ＤｉｓａｓｔｅｒＭｅｓｓａｇｅＢｏａｒｄ」が格納されていると仮定する。また、ユーザ装置２にインストールされているアプリケーションのうち、アプリケーション識別子が「Ｂ」であるアプリケーションが発信処理を要求しているとする。
【００６６】
この場合、判断部３４は、サービス識別子（「ＨｉｇｈＰｒｉｏｒｉｔｙ」）と、用途識別子（「ＤｉｓａｓｔｅｒＭｅｓｓａｇｅＢｏａｒｄ」）が一致しないことから、通常のＲＡＣＨリソースを用いて発信処理を行うと判断する。
【００６７】
＜効果＞
以上複数の実施の形態によれば、基地局と通信するユーザ装置であって、前記基地局から、専用ランダムアクセスチャネルリソースの用途を示す用途識別子を取得する取得手段と、当該ユーザ装置が発信処理を行う場合に、前記用途識別子に基づいて、前記専用ランダムアクセスチャネルリソースを用いて発信処理を行うのか否かを判断する判断手段と、前記判断手段が前記専用ランダムアクセスチャネルリソースを用いて発信処理を行うと判断した場合に、前記専用ランダムアクセスチャネルリソースを用いてランダムアクセス手順を実行する実行手段と、を有するユーザ装置が提供される。
【００６８】
このユーザ装置２により、特定のサービスを実行するユーザ装置又は特定の用途向けのユーザ装置が、ランダムアクセスチャネルに割り当てられた専用の無線リソースを用いて発信処理を行うことができる技術が提供される。
【００６９】
また、前記判断手段は、当該ユーザ装置の種別と前記用途識別子とを比較することで、前記専用ランダムアクセスチャネルリソースを用いて発信処理を行うのか否かを判断するようにしてもよい。
【００７０】
これにより、特定の用途向けのユーザ装置が発信処理を行う場合、専用のＲＡＣＨリソースを用いて発信処理が行われるようになる。また、これにより、膨大な量の特定の用途向けのユーザ装置２がネットワークに存在し、一斉に発信処理が行われるような場合に、通常のＲＡＣＨリソースが混雑することを防ぐことができ、一般ユーザが行う発信処理の成功確率を高めることが可能になる。
【００７１】
また、ユーザ装置２は、アプリケーションを特定する識別子と、アプリケーションが実行するサービスを示すサービス識別子とを対応づける情報を記憶する記憶手段を有し、前記判断手段は、前記情報から、発信処理を行うアプリケーションに対応するサービス識別子を検索し、検索したサービス識別子と、前記基地局から取得した前記用途識別子とを比較することで、前記専用ランダムアクセスチャネルリソースを用いて発信処理を行うのか否かを判断するようにしてもよい。
【００７２】
これにより、特定のサービスを実行するユーザ装置２が発信処理を行う場合、専用のＲＡＣＨリソースを用いて発信処理が行われるようになり、一般ユーザ向けの通常のＲＡＣＨリソースが混雑している場合であっても、発信処理を成功させる確率を高めることが可能になる。
【００７３】
また、前記取得手段は、前記基地局から送信される報知情報に含まれる、システムインフォメーションブロック又はＭＴＣ向けシステムインフォメーションブロックから、前記用途識別子を取得するようにしてもよい。
【００７４】
これにより、例えば、ＭＴＣ端末のように必要最小限の通信機能のみを有するユーザ装置２であっても、専用のＲＡＣＨリソースに関する構成情報及び用途識別子を取得ことが可能になる。
【００７５】
＜実施形態の補足＞
以上、第一の実施の形態及び第二の実施の形態について説明したが、第一の実施の形態及び第二の実施の形態は、様々に組み合わせることができる。
【００７６】
例えば、第一の実施の形態と第二の実施の形態とを組み合わせることで、複数の専用ＲＡＣＨリソースを設けるようにして、例えば、ＭＴＣ端末であるユーザ装置２が発信処理を行う際に用いるＲＡＣＨリソースと、特定のサービスを実行するユーザ装置２が発信処理を行う際に用いるＲＡＣＨリソースと、その他一般ユーザのユーザ装置２が発信処理を行う際に用いるＲＡＣＨリソースとを分離させるようにしてもよい。
【００７７】
また、例えば、図８に示す処理手順と図１１に示す処理手順とを組み合わせるようにしてもよい。例えば、図８のステップＳ２０１及びステップＳ２０２の処理手順に続けて、図１１のステップＳ３０１乃至ステップＳ３０４の処理手順を行うようにしてもよい。また、例えば、ユーザ装置２は、記憶部２６又は記憶部３６に、端末種別情報と特定サービス情報とを記憶するようにしてもよい。
【００７８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置２及び基地局１は機能的なブロック図を用いて説明されたが、そのような装置はハードウェアで、ソフトウェアで又はそれらの組み合わせで実現されてもよい。本発明の実施の形態に従ってユーザ装置２が有するプロセッサにより動作するソフトウェア及び本発明の実施の形態に従って基地局１が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７９】
本発明は上記実施形態に限定されず、本発明の精神から逸脱することなく、様々な変形例、修正例、代替例、置換例等が本発明に包含される。
【００８０】
なお、各実施の形態において、報知情報読取部２３又は報知情報読取部３３は、取得手段の一例である。判断部２４又は判断部３４は、判断手段の一例である。ＲＡ実行部２５又はＲＡ実行部３５は、実行手段の一例である。記憶部２６又は記憶部３６は、記憶手段の一例である。端末種別は、ユーザ装置の種別の一例である。アプリケーション識別子は、アプリケーションを特定する識別子の一例である。
【符号の説明】
【００８１】
１  基地局
２  ユーザ装置
３  セル
１１  信号送信部
１２  信号受信部
１３  報知部
２１  信号送信部
２２  信号受信部
２３  報知情報読取部
２４  判断部
２５  実行部
２６  記憶部
３１  信号送信部
３２  信号受信部
３３  報知情報読取部
３４  判断部
３５  実行部
３６  記憶部
【図１】
2016201672.tif 000003
【図２】
2016201672.tif 000004
【図３】
2016201672.tif 000005
【図４】
2016201672.tif 000006
【図５】
2016201672.tif 000007
【図６】
2016201672.tif 000008
【図７】
2016201672.tif 000009
【図８】
2016201672.tif 000010
【図９】
2016201672.tif 000011
【図１０】
2016201672.tif 000012
【図１１】
2016201672.tif 000013